【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
ジェスチャを使用するアクセス制御のための方法であって、前記方法は、
少なくとも１つの伝送電極と複数の受信電極とを備える構造を提供するステップと、
前記少なくとも１つの伝送電極から交流電場を生成するステップと、
前記電場の中に物体を配置することによって、前記交流電場を修正するステップと、
前記複数の受信電極のそれぞれ１つにおいて前記交流電場を測定するステップと、
前記構造と接触せずに一連の所定のジェスチャを行うステップと、
前記複数の受信電極のそれぞれ１つにおける前記測定された交流電場を、デジタル信号プロセッサのメモリ内のジェスチャライブラリの所定の電場値と比較するステップと、
前記所定の電場値との前記複数の受信電極のそれぞれ１つにおける前記測定された交流電場の比較から、複数のジェスチャを判定するステップと、
前記判定された複数のジェスチャを予期される複数のジェスチャと比較するステップであって、前記判定された複数のジェスチャが前記予期される複数のジェスチャと実質的に同一である場合に、アクセス容認コマンドを発行し、そうでなければ何もしない、ステップと
を含む、方法。
【請求項２】
未確認の物体が前記複数の受信電極のうちの少なくとも１つに近接近しているときに、前記測定された交流電場を比較するステップを無効にするステップをさらに含む、請求項１に記載の方法。
【請求項３】
前記複数のジェスチャは、以下：上の位置、下の位置、右の位置、左の位置、中の位置、外の位置、時計回りへの運動、反時計回りへの運動、上への運動、下への運動、右への運動、左への運動、中への運動、および外への運動のうちのいずれか２つ以上から成る群から選択される、請求項１または２に記載の方法。
【請求項４】
前記複数のジェスチャは、少なくとも１つのジェスチャ運動と、少なくとも１つのジェスチャ位置とを含む、請求項１〜３のうちの１項に記載の方法。
【請求項５】
前記複数のジェスチャは、複数のジェスチャ運動または位置を含む、請求項１〜４のうちの１項に記載の方法。
【請求項６】
前記構造は、少なくとも１つの円形状電極と、前記構造の湾曲した表面の周囲に配列された複数の電極とを備える、円筒形を有する、請求項１〜５のうちの１項に記載の方法。
【請求項７】
前記構造は、カバーによって視覚観察から保護され、前記カバーは、前記一連の所定のジェスチャを行う手を受容するための開口部を備える、請求項６に記載の方法。
【請求項８】
ジェスチャを使用するアクセス制御のためのシステムであって、前記システムは
電気絶縁体、少なくとも１つの伝送電極、および複数の受信電極を備える構造と、
交流電場を生成するための前記少なくとも１つの伝送電極に結合された少なくとも１つの伝送出力と、前記交流電場を受信するための前記複数の受信電極のそれぞれ１つに結合された複数の受信入力とを有する、ジェスチャ感知コントローラであって、前記ジェスチャ感知コントローラは、前記複数の受信電極のそれぞれにおいて受信された交流電場を測定するように構成され、前記ジェスチャ感知コントローラは、前記構造と接触せずに一連の所定のジェスチャが行われるとき、前記受信された電場から複数のジェスチャを判定する、ジェスチャ感知コントローラと、
前記ジェスチャ感知コントローラによって判定される前記複数のジェスチャを予期される複数のジェスチャと比較するための保護されたアクセス機器であって、前記判定された複数のジェスチャが前記予期される複数のジェスチャと実質的に同一である場合に、アクセス容認コマンドを発行し、そうでなければ何もしない、保護されたアクセス機器と
を備える、システム。
【請求項９】
前記構造は、実質的に平坦であり、前記少なくとも１つの伝送電極および前記複数の受信電極は、前記実質的に平坦な構造の反対面上にある、請求項８に記載のシステム。
【請求項１０】
前記構造は、実質的に平坦であり、前記少なくとも１つの伝送電極および前記複数の受信電極は、前記実質的に平坦な構造の反対面に組み込まれている、請求項８に記載のシステム。
【請求項１１】
前記構造は、少なくとも１つの円形状電極と、前記構造の湾曲した表面の周囲に配列された複数の電極とを備える、円筒形を有する、請求項８に記載のシステム。
【請求項１２】
前記円形状電極は、伝送電極であり、前記構造の湾曲した表面の周囲に配列された前記複数の電極は、受信電極である、請求項１１に記載のシステム。
【請求項１３】
前記構造は、絵画である、請求項１０に記載のシステム。
【請求項１４】
前記構造は、写真である、請求項１０に記載のシステム。
【請求項１５】
前記構造は、彫像である、請求項１１に記載のシステム。
【請求項１６】
前記構造は、ランプである、請求項１１に記載のシステム。
【請求項１７】
前記ジェスチャ感知コントローラは、
前記少なくとも１つの伝送出力と前記複数の受信入力とを備えるアナログフロントエンドと、
その交流電場測定を判定するように前記受信された電場の値を受信するために前記アナログフロントエンドに結合されたデジタル信号プロセッサと、
ジェスチャライブラリを備え、前記デジタル信号プロセッサに結合されている、メモリであって、前記デジタル信号プロセッサは、前記複数のジェスチャを判定する際に前記ジェスチャライブラリを使用するように構成されている、メモリと、
前記デジタル信号プロセッサと前記保護されたアクセス機器との間に結合された通信インターフェースと
を備える、請求項８〜１６のうちの１項に記載のシステム。
【請求項１８】
その実行中に前記複数のジェスチャの視覚を遮断するための、前記構造を覆うカバーをさらに備える、請求項８〜１６のうちの１項に記載のシステム。
【請求項１９】
前記構造を含有し、その実行中に前記複数のジェスチャの視覚を遮断する、エンクロージャをさらに備える、請求項８〜１６のうちの１項に記載のシステム。
【請求項２０】
前記複数の受信電極は、５つの受信電極である、請求項８〜１６のうちの１項に記載のシステム。
【請求項２１】
前記少なくとも１つの伝送電極は、１つの伝送電極である、請求項８〜１６のうちの１項に記載のシステム。
【手続補正２】
【補正対象書類名】明細書
【補正対象項目名】００１１
【補正方法】変更
【補正の内容】
【００１１】
さらなる実施形態によると、構造を覆うカバーが、その実行中に複数のジェスチャの視覚を遮断するために提供されてもよい。さらなる実施形態によると、エンクロージャが、構造を含有し、その実行中に複数のジェスチャの視覚を遮断するために提供されてもよい。さらなる実施形態によると、複数の受信電極は、５つの受信電極であってもよい。さらなる実施形態によると、少なくとも１つの伝送電極は、１つの伝送電極であってもよい。
本願明細書は、例えば、以下の項目も提供する。
（項目１）
ジェスチャを使用するアクセス制御のための方法であって、前記方法は、
少なくとも１つの伝送電極と複数の受信電極とを備える構造を提供するステップと、
前記少なくとも１つの伝送電極から交流電場を生成するステップと、
前記電場の中に物体を配置することによって、前記交流電場を修正するステップと、
前記複数の受信電極のそれぞれ１つにおいて前記交流電場を測定するステップと、
前記複数の受信電極のそれぞれ１つにおける前記測定された交流電場を、デジタル信号プロセッサ（ＤＳＰ）のメモリ内のジェスチャライブラリの所定の電場値と比較するステップと、
前記所定の電場値との前記複数の受信電極のそれぞれ１つにおける前記測定された交流電場の比較から、複数のジェスチャを判定するステップと、
前記判定された複数のジェスチャを予期される複数のジェスチャと比較するステップであって、前記判定された複数のジェスチャが前記予期される複数のジェスチャと実質的に同一である場合に、アクセス容認コマンドを発行し、そうでなければ何もしない、ステップと
を含む、方法。
（項目２）
未確認の物体が前記複数の受信電極のうちの少なくとも１つに近接近しているときに、前記測定された交流電場を比較するステップを無効にするステップをさらに含む、項目１に記載の方法。
（項目３）
前記複数のジェスチャは、以下：上の位置、下の位置、右の位置、左の位置、中の位置、外の位置、時計回りへの運動、反時計回りへの運動、上への運動、下への運動、右への運動、左への運動、中への運動、および外への運動のうちのいずれか２つ以上から成る群から選択される、項目１または２に記載の方法。
（項目４）
前記複数のジェスチャは、少なくとも１つのジェスチャ運動と、少なくとも１つのジェスチャ位置とを含む、項目１〜３のうちの１項に記載の方法。
（項目５）
前記複数のジェスチャは、複数のジェスチャ運動を含む、項目１〜４のうちの１項に記載の方法。
（項目６）
前記複数のジェスチャは、複数のジェスチャ位置を含む、項目１〜５のうちの１項に記載の方法。
（項目７）
ジェスチャを使用するアクセス制御のためのシステムであって、前記システムは
電気絶縁体、少なくとも１つの伝送電極、および複数の受信電極を備える構造と、
交流電場を生成するための前記少なくとも１つの伝送電極に結合された少なくとも１つの伝送出力と、前記交流電場を受信するための前記複数の受信電極のそれぞれ１つに結合された複数の受信入力とを有する、ジェスチャ感知コントローラであって、前記ジェスチャ感知コントローラは、前記複数の受信電極のそれぞれにおいて受信された交流電場を測定し、前記ジェスチャ感知コントローラは、前記受信された電場から複数のジェスチャを判定する、ジェスチャ感知コントローラと、
前記ジェスチャ感知コントローラによって判定される前記複数のジェスチャを予期される複数のジェスチャと比較するための保護されたアクセス機器であって、前記判定された複数のジェスチャが前記予期される複数のジェスチャと実質的に同一である場合に、アクセス容認コマンドを発行し、そうでなければ何もしない、保護されたアクセス機器と
を備える、システム。
（項目８）
前記構造は、実質的に平坦であり、前記少なくとも１つの伝送電極および前記複数の受信電極は、前記実質的に平坦な構造の反対面上にある、項目７に記載のシステム。
（項目９）
前記構造は、実質的に平坦であり、前記少なくとも１つの伝送電極および前記複数の受信電極は、前記実質的に平坦な構造の反対面に組み込まれている、項目７または８に記載のシステム。
（項目１０）
前記構造は、画定された長さ、幅、および高さを有する、項目７〜９のうちの１項に記載のシステム。
（項目１１）
前記構造は、絵画である、項目９に記載のシステム。
（項目１２）
前記構造は、写真である、項目９に記載のシステム。
（項目１３）
前記構造は、彫像である、項目１０に記載のシステム。
（項目１４）
前記構造は、ランプである、項目１０に記載のシステム。
（項目１５）
前記ジェスチャ感知コントローラは、
前記少なくとも１つの伝送出力と前記複数の受信入力とを備えるアナログフロントエンド（ＡＦＥ）と、
その交流電場測定を判定するように前記受信された電場の値を受信するために前記ＡＦＥに結合されたデジタル信号プロセッサと、
ジェスチャライブラリを備え、前記デジタル信号プロセッサに結合されている、メモリであって、前記デジタル信号プロセッサは、前記複数のジェスチャを判定する際に前記ジェスチャライブラリを使用する、メモリと、
前記デジタル信号プロセッサと前記保護されたアクセス機器との間に結合された通信インターフェースと
を備える、項目７〜１４のうちの１項に記載のシステム。
（項目１６）
その実行中に前記複数のジェスチャの視覚を遮断するための、前記構造を覆うカバーをさらに備える、項目７〜１５のうちの１項に記載のシステム。
（項目１７）
前記構造を含有し、その実行中に前記複数のジェスチャの視覚を遮断する、エンクロージャをさらに備える、項目７〜１６のうちの１項に記載のシステム。
（項目１８）
前記複数の受信電極は、５つの受信電極である、項目７〜１７のうちの１項に記載のシステム。
（項目１９）
前記少なくとも１つの伝送電極は、１つの伝送電極である、項目７〜１８のうちの１項に記載のシステム。